(57)【要約】【課題】  パワーマネジメント制御を行うことができる情報処理装置において、他の装置からのアクセスにより、スリープ状態から復帰するとき、どのような要因においても一様に装置全体をリジュームするため、省電力の効果が得られない。【解決手段】  この情報処理装置はパワーマネジメント状態に入るとき、装置全体をリジュームさせなくても良いように、装置の情報を収集し、情報処理装置がリジュームの信号を受信したとき、装置の一部だけリジュームさせる。【選択図】  図１
2006172044.tif 000002
【特許請求の範囲】
【請求項１】
パワーマネジメント機能を備える電子機器において、
リジューム要求の信号を受信したとき、一部の機能のみ復帰する部分復帰手段を備えたことを特徴とする電子機器。
【請求項２】
パワーマネジメント機能を備える電子機器において、
リジューム要求の信号を受信したとき、リジューム要求の内容によって、リジュームする部分を限定する限定復帰手段を備えたことを特徴とする電子機器。
【請求項３】
パワーマネジメント機能を備える電子機器において、
リジューム要求の信号を受信したとき、リジューム要求の内容を判断する復帰要求判断手段と、
復帰要求判断手段の機能のみ復帰させる部分復帰手段と、
復帰要求判断手段の判断によって、復帰する部分を決定する復帰部分決定手段を備えたことを特徴とする電子機器。
【請求項４】
パワーマネジメント機能を備える電子機器において、
スリープモードに入る前に、ユーザーが要求する可能性のあるステータス情報を収集する情報収集手段と、
ステータス情報を一元管理する情報保持手段と、
スリープモード中にステータス要求を受信した場合にはその情報を送信する情報送信手段
を備えたことを特徴とする電子機器。
【請求項５】
パワーマネジメント機能を備える画像形成装置において、
リジューム要求の信号を受信したとき、
コントローラ部のみ復帰するコントローラ部復帰手段を備えたことを特徴とする画像形成装置。
【請求項６】
パワーマネジメント機能を備える画像形成装置において、
リジューム要求の信号を受信したとき、
ステータス情報のみを要求された場合、コントローラ部のみ復帰するコントローラ部復帰手段を備えたことを特徴とする画像形成装置。
【請求項７】
パワーマネジメント機能を備える画像形成装置において、
リジューム要求の信号を受信したとき、リジューム要求の内容を判断する復帰要求判断手段と、
復帰要求判断手段を備えた機能のみ復帰させる部分復帰手段と、
復帰要求判断手段の判断によって、復帰する部分を決定する復帰部分決定手段を備えたことを特徴とする画像形成装置。
【請求項８】
パワーマネジメント機能を備える画像形成装置において、
リジューム要求の信号を受信したとき、
コントローラ部に備えられたリジューム要求の内容を判断する復帰要求判断手段と、
復帰要求判断手段を備えたコントローラ部のみ復帰させる部分復帰手段と、
復帰要求判断手段の判断によって、復帰する部分を決定する復帰部分決定手段
を備えたことを特徴とする画像形成装置。
【請求項９】
パワーマネジメント機能を備える画像形成装置において、
スリープモードに入る前に、ユーザーが要求する可能性のあるステータス情報を収集する情報収集手段と、
ステータス情報を一元管理するＥＥＰＲＯＭなどの情報保持手段と、
スリープモード中にステータス要求を受信した場合にはその情報を送信する情報送信手段を備えたことを特徴とする画像形成装置。
【発明の詳細な説明】
【技術分野】
【０００１】
本発明は、パワーマネジメントの制御を行う電子機器及び画像形成装置に関するものである。
【背景技術】
【０００２】
近年、ノートパソコンなどのモバイル機器が普及してきているが、そのようなモバイル機器では消費電力を抑え、内蔵電池でより長時間の使用が出来ることが求められている。
【０００３】
また、昨今、全世界的に消費電力の低下を推進する動きが広がっている。国家レベルで規制を設け、環境基準を設け規制を満たしていない電化製品には、販売の認可を与えない、などの制限を設ける場合もある。今後消費電力においても同様に規制が厳しくなっていくと考えられる。
【０００４】
このため、今後市場に出る装置には、パワーマネジメント機能を持たせることが必要になると考えられる。パワーマネジメント機能とはユーザーが使用してない間、機能の一部を停止させ、消費電力を低減させたスリープモードと呼ばれる状態にする。また、ユーザーの操作や、ユーザーが使用する別のホストからのアクセスがあると通常状態に復帰する。この機能をレジューム機能と呼ぶ。
【０００５】
このパワーマネジメント制御の有用な使用方法の例として、プリンタにおける制御を挙げる。
【０００６】
近年ではＰＣ（パーソナルコンピュータ）の普及が大きく拡大し、あらゆる分野の業務に使用されている。また、その普及に伴い、出力機器としてプリンタの普及も拡大されている。しかし、プリンタは常に使用するものではなく、必要に応じて、データを送信し、出力するものである。
【０００７】
このように、限られた期間のみ動作する装置に、常に電力を供給することは非常に無駄なことである。そこで、ホストからの信号を受信しない状態が一定期間続いた場合、パワーマネジメント状態に入り、信号を受信したときリジュームを行う、という制御を行うことにより、省電力化を行うことができる。
【特許文献１】特開平８−１９２５５６号公報
【発明の開示】
【発明が解決しようとする課題】
【０００８】
しかしながら、このリジューム時、どのような要因においても一様なリジューム制御を行うということは、所望の動作に不必要な部分をリジュームしてしまう場合もある。
【０００９】
例えばプリンタにおいては、インク残量、紙残量の状態など、印刷をするわけではなく、情報のみ知りたい場合、装置全体をリジュームさせることはパワーマネジメントの効果を低減させてしまう。
【課題を解決するための手段】
【００１０】
この課題を解決するために、本発明に係る電子機器は、次のような特徴を備える。即ち、パワーマネジメント機能を備える電子機器において、リジューム要求の信号を受信したとき、一部の機能のみ復帰する部分復帰手段を備える。
【００１１】
また、別の発明に係る電子機器は、パワーマネジメント機能を備える電子機器において、リジューム要求の信号を受信したとき、リジューム要求の内容によって、リジュームする部分を限定する限定復帰手段を備える。
【００１２】
また、別の発明に係る電子機器は、パワーマネジメント機能を備える電子機器において、リジューム要求の信号を受信したとき、リジューム要求の内容を判断する復帰要求判断手段と、復帰要求判断手段の機能のみ復帰させる部分復帰手段と、復帰要求判断手段の判断によって、復帰する部分を決定する復帰部分決定手段を備える。
【００１３】
また、別の発明に係る電子機器は、パワーマネジメント機能を備える電子機器において、スリープモードに入る前に、ユーザーが要求する可能性のあるステータス情報を収集する情報収集手段と、ステータス情報を一元管理する情報保持手段と、スリープモード中にステータス要求を受信した場合にはその情報を送信する情報送信手段を備える。
【００１４】
本発明に係る画像形成装置は、次のような特徴を備える。即ち、パワーマネジメント機能を備える画像形成装置において、リジューム要求の信号を受信したとき、コントローラ部のみ復帰するコントローラ部復帰手段を備える。
【００１５】
また、別の発明に係る画像形成装置は、パワーマネジメント機能を備える画像形成装置において、リジューム要求の信号を受信したとき、ステータス情報のみを要求された場合、コントローラ部のみ復帰するコントローラ部復帰手段を備える。
【００１６】
また、別の発明に係る画像形成装置は、パワーマネジメント機能を備える画像形成装置において、リジューム要求の信号を受信したとき、リジューム要求の内容を判断する復帰要求判断手段と、復帰要求判断手段を備えた機能のみ復帰させる部分復帰手段と、復帰要求判断手段の判断によって、復帰する部分を決定する復帰部分決定手段を備える。
【００１７】
また、別の発明に係る画像形成装置は、パワーマネジメント機能を備える画像形成装置において、リジューム要求の信号を受信したとき、コントローラ部に備えられたリジューム要求の内容を判断する復帰要求判断手段と、復帰要求判断手段を備えたコントローラ部のみ復帰させる部分復帰手段と、復帰要求判断手段の判断によって、復帰する部分を決定する復帰部分決定手段を備える。
【００１８】
また、別の発明に係る画像形成装置は、パワーマネジメント機能を備える画像形成装置において、スリープモードに入る前に、ユーザーが要求する可能性のあるステータス情報を収集する情報収集手段と、ステータス情報を一元管理するＥＥＰＲＯＭなどの情報保持手段と、スリープモード中にステータス要求を受信した場合にはその情報を送信する情報送信手段を備える。
【発明の効果】
【００１９】
以上説明したように、スリープモードに入るとき、コントローラはエンジン部の情報を取得してからスリープモードに入る。リジュームの要求を受信したとき、そのリジューム要因を解析する。リジューム要因に応じて処理を行なうことにより、省電力を効果的に行うことができる。
【発明を実施するための最良の形態】
【００２０】
以下、本発明の実施の形態を説明する。
【００２１】
（第１実施例）
ホストからのリジューム要求
図１は、本実施例における、パワーマネジメント制御を行い、リジューム要因によりその制御を変える画像形成装置の構成図である。
【００２２】
なお、本明細書における実施例ではホスト（ホスト装置）に接続された画像形成装置による例をあげるが、画像形成装置に限らず、スキャナーなど他の周辺機器、またはホストとなるＰＣの場合においても、同様の制御を行う機能を備えた電子機器でも構わない。
【００２３】
同図において、１００は画像形成装置（プリンタ）の全体構成図である。１１０はホストから受け取ったデータを処理するコントローラ部である。１３０はコントローラ部で処理されたデータを受け取り、印刷の制御を行うエンジン部である。
【００２４】
１１１はコントローラＣＰＵであり、画像形成装置のコントローラ部を制御する。１１２はＲＯＭであり、コントローラ部の制御を行うプログラムを格納している。１１３はＲＡＭであり、データの読み書き可能なメモリである。１１４はＥＥＰＲＯＭであり、データの読み書き可能なメモリであり、電源が遮断された場合においても、そのデータを保持することができる。１１５はエンジン通信部であり、画像処理されたデータをエンジン部に送信する。また、エンジンＣＰＵ１３１にリジュームのための割り込み信号を入れることができる。に１１６はネットワーク通信制御部であり、ネットワーク環境につながり、同様にネットワーク環境につながれているホスト１７０から画像データを受信し画像形成装置で印刷することができる。１１７はＵＳＢ通信制御部であり、ホスト１８０に接続され、ホスト１８０から画像データを受信し画像形成装置で印刷することができる。１１８は１３９４通信制御部であり、ホスト１９０に接続され、ホスト１９０から画像データを受信し画像形成装置で印刷することができる。１１９は画像処理部であり、ホストから受信したデータを印刷可能なデータに画像処理する。１２０は操作パネル制御部であり、操作パネルとの通信を行う。
【００２５】
１２１は操作パネル部であり、画像形成装置の状態を設定するキーや、表示を行う液晶パネル（ＬＣＤ）およびＬＥＤを備えている。
【００２６】
１３１はエンジンＣＰＵであり、画像形成装置のエンジン部を制御する。また、エンジン通信制御部１１５からの割り込み信号によってリジュームすることができる。１３２はＲＯＭであり、エンジン部の制御を行うプログラムを格納している。１３３はＲＡＭであり、データの読み書き可能なメモリである。１３５は通信制御部であり、エンジン通信制御部１１５と接続されており、１１５から送られた画像データを受信する。１３６は紙搬送モータ制御部であり、具体的には紙送りのモータを動作させ搬送ローラなどを動作させることにより紙を搬送する。１３７はキャリッジモータ制御部であり、キャリッジモータを動作させることにより、プリントヘッドを動作させる。１３８はインク残量検出部であり、インク残量を検出する。１３９は紙残量検出部であり、紙の残量を検出する。１４０はヘッド制御部である。１４１はヘッド部であり、ヘッド制御部１４０からの信号によりインクをメディアに吐出させる。１３６、１３７、１４０を制御し、メディア上の所望の位置にインクを吐出させることにより、所望の画像を形成することができる。
【００２７】
図２は本発明における、ホストからの通信によるコントローラ部の制御方法を示すフローチャートである。
【００２８】
電源が投入されると、コントローラ部はＳ２１１において初期化を行う。印刷データが送信、または、操作がないまま一定時間経過後、Ｓ２１２においてエンジン部のデータを取得する。このときのエンジン部から取得するデータは、インク残量、紙残量、エラー情報などである。この処理はユーザーがステータスを得たい場合にエンジン部をリジュームさせることなく情報を得られるようにするための処理である。これらの情報をＥＥＰＲＯＭ１１４に保持しておく。エンジン部の情報を取得したあと、Ｓ２１３においてエンジン部をスリープモードにする。その後Ｓ２１４において、コントローラ部もスリープモードに入る。
【００２９】
Ｓ２０１において、ホストがリジューム要求をした場合、Ｓ２１５においてプリンタのコントローラをリジュームさせる。コントローラ部はＳ２１６において、リジューム要因を解析する。ホストからの要求がステータス取得である場合、ホストに情報を送信する。その後Ｓ２１４に戻り、コントローラ部がスリープモードに入る。ホストからの要求が印刷である場合、Ｓ２１８においてエンジン部をリジュームする。そしてＳ２１９において印刷処理を行う。その後、印刷データが送信、または、操作がないまま一定時間経過したらＳ２１２において再度スリープモードに入る処理を行う。
【００３０】
（第２実施例）
パネル操作によるリジューム要求
図３は本発明における、パネルからの操作による画像形成装置のコントローラ部の制御方法を示すフローチャートである。なお、画像形成装置の構成は図１と同様の構成をとる。
【００３１】
Ｓ３１１〜Ｓ３１４はＳ２１１〜Ｓ２１４と同様に処理を行う。Ｓ３０１においてパネルからスイッチの操作が行われたとき、Ｓ３１５においてコントローラ部のみがリジュームする。Ｓ３１６において、ユーザーに操作可能であることを示すために、パネルに情報を送信する。パネルではＳ３０２においてＬＣＤにコントローラから受信した情報を表示する。場合によってＳ３０１→Ｓ３１５→Ｓ３１６→Ｓ３０２の操作は繰り返される。Ｓ３０３ではパネルからステータスの要求を行う。コントローラはステータスの要求を受信すると、Ｓ３１７においてＥＥＰＲＯＭに保持されたインク残量情報、紙残量情報などを読み出す。Ｓ３１８においてＥＥＰＲＯＭから読み出した情報をパネルに送信する。Ｓ３０４においてパネルにインク残量情報、紙残量情報を表示する。
【００３２】
これらの操作の後、一定時間経過後Ｓ３１４に戻り、コントローラ部がスリープモードに入る。
【００３３】
図４は本発明における、パネルからの操作によってステータスプリントをするときのコントローラ部の制御方法を示すフローチャートである。
【００３４】
Ｓ４１１〜Ｓ４１４はＳ２１１〜Ｓ２１４と同様に処理を行う。Ｓ４０１においてパネルからスイッチの操作が行われたとき、Ｓ４１５においてコントローラ部のみがリジュームする。Ｓ４１６において、ユーザーに操作可能であることを示すために、パネルに情報を送信する。パネルではＳ４０２においてＬＣＤにコントローラから受信した情報を表示する。場合によってＳ４０１→Ｓ４１５→Ｓ４１６→Ｓ４０２の操作は繰り返される。
【００３５】
Ｓ４０３において、ユーザーはパネルからステータス印刷の要求を送信する。コントローラはＳ４１７において、印刷が可能になるようにエンジン部をリジュームする。Ｓ４１８においてステータス情報を取得する。その後、Ｓ４１９においてステータスの印刷を行う。
【００３６】
これらの操作の後、一定時間経過後Ｓ４１２に戻り、再びスリープモードに入る。
【図面の簡単な説明】
【００３７】
【図１】本発明の画像形成装置の構成を示すブロック図である。
【図２】第１実施例における、ホストからの通信によるコントローラ部の制御方法を示すフローチャートである。
【図３】第２実施例における、パネルからの操作によるコントローラ部の制御方法を示すフローチャートである。
【図４】第２実施例における、パネルからの操作によってステータスプリントをするときのコントローラ部の制御方法を示すフローチャートである。
【符号の説明】
【００３８】
１００  画像処理装置
１１０  コントローラ部
１１１  コントローラＣＰＵ
１１２  ＲＯＭ
１１３  ＲＡＭ
１１４  ＥＥＰＲＯＭ
１１５  エンジン通信制御部
１１６  ネットワーク通信制御部
１１７  ＵＳＢ通信制御部
１１８  １３９４通信制御部
１１９  画像処理部
１２０  操作パネル制御部
１２１  操作パネル部
１３０  エンジン部
１３１  エンジンＣＰＵ
１３２  ＲＯＭ
１３３  ＲＡＭ
１３５  コントローラ通信制御部
１３６  紙搬送モータ制御部
１３７  キャリッジモータ制御部
１３８  インク残量検出部
１３９  紙残量検出部
１４０  ヘッド制御部
１４１  ヘッド
１７０、１８０、１９０  ホスト
【図１】
2006172044.tif 000003
【図２】
2006172044.tif 000004
【図３】
2006172044.tif 000005
【図４】
2006172044.tif 000006